(57)【特許請求の範囲】
【請求項１】
立体表示装置を駆動するための表示駆動方法であり、
前記立体表示装置は、画素アレイと画素アレイ光射出面に設けられたラスタとを含み、
前記画素アレイは、第一ビューを表示するための複数の第一画素ユニットと第二ビューを表示するための複数の第二画素ユニットとを含み、前記複数の第一画素ユニットと複数の第二画素ユニットはマトリクス状に排列され、第一画素ユニットと第二画素ユニットは行方向と列方向でそれぞれ交互に配置され、第一画素ユニットと第二画素ユニットは同一列に設けられた複数の異なる色のサブ画素をそれぞれ含み、
前記ラスタは、行方向と列方向でそれぞれ交互に配置された複数の遮光エリアと複数の透光エリアとを含み、遮光エリア毎に、行方向に隣接する第一画素ユニットの第一側と第一画素ユニットの第一側に対向する第二画素ユニットの第二側とを遮断するために用いられ、
前記表示駆動方法は、
前記複数の第一画素ユニットにおける各サブ画素の色成分と前記複数の第二画素ユニットにおける各サブ画素の色成分とをそれぞれ算出するステップと、
サブ画素毎にサンプルエリアを確定して、該サブ画素に対応するサンプルエリアが覆う各画素ユニットにおける、該サブ画素の色と同一の色成分に応じて該サブ画素の発光輝度を確定するステップと、を含み、
サンプルエリアは菱形サンプルエリアであって、菱形サンプルエリアの4つの頂点は該サブ画素に隣接する列における、該サブ画素に隣接する4つの同種類のサブ画素の中心接続線の中央点にそれぞれ位置し、
各サブ画素のサンプルエリアを確定して、サブ画素の発光輝度を確定するステップは、
サンプルエリアと前記複数の第一画素ユニットおよび複数の第二画素ユニットにおける各画素ユニットとの重複面積、および重複する画素ユニットにおける該サブ画素の色と同一の色成分をサブ画素毎に確定するステップと、
重複面積とそれに対応する色成分との乗積を、重複する画素ユニット毎に算出するステップと、
各乗積の和およびサンプルエリアの面積に基づき該サブ画素の発光輝度を確定するステップと、を含む
表示駆動方法。
【請求項２】
サブ画素毎のサンプルエリアを確定して、サブ画素の発光輝度を確定するステップの後に、
各サブ画素が確定された発光輝度に達するよう、第一画素ユニットの各サブ画素に信号を入力するステップと、
各サブ画素が確定された発光輝度に達するよう、第二画素ユニットの各サブ画素に信号を入力するステップと、をさらに含む
請求項1の表示駆動方法。
【請求項３】
前記ラスタは、BMラスタ、液晶ラスタ、エレクトロウェッティングラスタのいずれか1つである
請求項1の表示駆動方法。
【請求項４】
各画素ユニットは、赤色サブ画素、青色サブ画素、緑色サブ画素の3つの異なる色のサブ画素を含む
請求項1の表示駆動方法。
【請求項５】
立体表示装置を駆動するための表示駆動装置であり、
前記立体表示装置は、画素アレイと画素アレイ光射出面に設けられたラスタとを含み、
前記画素アレイは、第一ビューを表示するための複数の第一画素ユニットと第二ビューを表示するための複数の第二画素ユニットとを含み、前記複数の第一画素ユニットと複数の第二画素ユニットはマトリクス状に排列され、第一画素ユニットと第二画素ユニットは行方向と列方向でそれぞれ交互に配置され、第一画素ユニットと第二画素ユニットは同一列に設けられた複数の異なる色のサブ画素をそれぞれ含み、
前記ラスタは、行方向と列方向でそれぞれ交互に配置された複数の遮光エリアと複数の透光エリアとを含み、遮光エリア毎に、行方向に隣接する第一画素ユニットの第一側と第一画素ユニットの第一側に対向する第二画素ユニットの第二側とを遮断するために用いられ、
前記表示駆動装置は、
前記複数の第一画素ユニットにおける各サブ画素の色成分と前記複数の第二画素ユニットにおける各サブ画素の色成分とをそれぞれ算出する画素分割ユニットと、
サブ画素毎のサンプルエリアを確定して、該サブ画素に対応するサンプルエリアが覆う各画素ユニットにおける、該サブ画素の色と同一の色成分に応じて該サブ画素の発光輝度を確定する輝度確定ユニットと、を含み、
サンプルエリアは菱形サンプルエリアであって、菱形サンプルエリアの4つの頂点は、該サブ画素に隣接する列における、該サブ画素に隣接する4つの同種類のサブ画素の中心接続線の中央点にそれぞれ位置し、
前記輝度確定ユニットは、
サンプルエリアと前記複数の第一画素ユニットおよび複数の第二画素ユニットにおける各画素ユニットとの重複面積、および重複する画素ユニットにおける該サブ画素の色と同一の色成分をサブ画素毎に確定し、
重複面積とそれに対応する色成分との乗積を、重複する画素ユニット毎に算出し、
各乗積の和およびサンプルエリアの面積に基づき該サブ画素の発光輝度を確定することに用いられる
表示駆動装置。
【請求項６】
各サブ画素が確定された発光輝度に達するよう、第一画素ユニットの各サブ画素に信号を入力し、且つ、各サブ画素が確定された発光輝度に達するよう、第二画素ユニットの各サブ画素に信号を入力する画像生成ユニットをさらに含む
請求項5の表示駆動装置。
【請求項７】
ラスタは、BMラスタ、液晶ラスタ、エレクトロウェッティングラスタのいずれか1つである
請求項5の表示駆動装置。
【請求項８】
各画素ユニットは、赤色サブ画素、青色サブ画素、緑色サブ画素の3つの異なる色のサブ画素を含む
請求項5の表示駆動装置。
【発明の詳細な説明】
【技術分野】
【０００１】
本発明は表示技術分野に属し、具体的に、表示駆動方法および表示駆動装置に関する。
【背景技術】
【０００２】
図1は従来技術における裸眼立体表示装置の概念図である。図1で示すように、表示パネル100上の全ての画素1は左眼用画像を表示し、全ての画素2は右眼用画像を表示する。画素1と2により射出された光はラスタ200を介してそれぞれ視聴者の左眼と右眼に入って左眼画像と右眼画像をそれぞれ形成する。左眼画像と右眼画像は人の脳内において1枚の立体画像に合成される。
【０００３】
しかし、図1に示す表示装置で裸眼立体表示を実現する際に、表示装置における一部画素が左眼画像のみに用いられ、そのほかの画像が右眼画像のみに用いられることで、裸眼立体表示の時に解像度がそれぞれ低下することになる。
【０００４】
よって、如何にして裸眼立体表示装置の解像度を向上させるかということが本分野の解決すべき技術課題となっている。
【発明の概要】
【発明が解決しようとする課題】
【０００５】
本発明で解決しようとする技術課題には、従来技術における立体表示装置の解像度が低いという問題に対して、立体表示装置の解像度を向上させることができる表示駆動方法および表示駆動装置を提供することが含まれる。
【課題を解決するための手段】
【０００６】
本発明の一側面では、画素アレイと画素アレイの光射出面に設けられたラスタとを含む立体表示装置を駆動するための表示駆動方法を提供する。画素アレイは、第一ビューを表示するための複数の第一画素ユニットと、第二ビューを表示するための複数の第二画素ユニットとを含み、前記複数の第一画素ユニットと複数の第二画素ユニットはマトリクス状に排列され、第一画素ユニットと第二画素ユニットは行方向と列方向でそれぞれ交互に配置される。第一画素ユニットと第二画素ユニットは、同一列に設けられた複数の異なる色のサブ画素をそれぞれ含む。ラスタは、行方向と列方向でそれぞれ交互に配置された複数の遮光エリアと複数の透光エリアとを含み、遮光エリア毎に、行方向に隣接する第一画素ユニットの第一側と第一画素ユニットの第一側に対向する第二画素ユニットの第二側とを遮断するために用いられる。前記表示駆動方法には、前記複数の第一画素ユニットにおける各サブ画素の色成分と前記複数の第二画素ユニットにおける各サブ画素の色成分とをそれぞれ算出するステップと、サブ画素毎にサンプルエリアを確定して、該サブ画素に対応するサンプルエリアが覆う各画素ユニットにおける、該サブ画素の色と同一の色成分に応じて該サブ画素の発光輝度を確定するステップと、を含む。サンプルエリアは菱形サンプルエリアであって、菱形サンプルエリアの4つの頂点は該サブ画素に隣接する列における、該サブ画素に隣接する4つの同種類のサブ画素の中心接続線の中央点にそれぞれ位置する。
【０００７】
技術用語「同種類のサブ画素」とは、同じビューの画素ユニットにおける同じ色の各サブ画素を指す。
【０００８】
本発明の実施例によれば、サブ画素毎のサンプルエリアを確定して、サブ画素の発光輝度を確定するステップの後に、前記方法は、各サブ画素が確定された発光輝度に達するよう、第一画素ユニットの各サブ画素に信号を入力するステップと、各サブ画素が確定された発光輝度に達するよう、第二画素ユニットの各サブ画素に信号を入力するステップと、をさらに含むことができる。
【０００９】
本発明の実施例によれば、ラスタは、BMラスタ、液晶ラスタ、エレクトロウェッティングラスタのいずれか1つとすることができる。
【００１０】
本発明の実施例によれば、各画素ユニットは、赤色サブ画素、青色サブ画素、緑色サブ画素の3つの異なる色のサブ画素を含むことができる。
【００１１】
本発明の実施例によれば、各サブ画素のサンプルエリアを確定して、サブ画素の発光輝度を確定するステップは、サンプルエリアと前記複数の第一画素ユニットおよび複数の第二画素ユニットにおける各画素ユニットとの重複面積、および重複する画素ユニットにおける該サブ画素の色と同一の色成分をサブ画素毎に確定するステップと、重複面積とそれに対応する色成分との乗積を、重複する画素ユニット毎に算出するステップと、各乗積の和およびサンプルエリアの面積に基づき該サブ画素の発光輝度を確定するステップと、を含むことができる。
【００１２】
本発明の別の側面では、画素アレイと画素アレイの光射出面に設けられたラスタとを含む立体表示装置を駆動するための表示駆動装置を提供する。画素アレイは、第一ビューを表示するための複数の第一画素ユニットと、第二ビューを表示するための複数の第二画素ユニットとを含み、前記複数の第一画素ユニットと複数の第二画素ユニットはマトリクス状に排列され、第一画素ユニットと第二画素ユニットは行方向と列方向でそれぞれ交互に配置される。第一画素ユニットと第二画素ユニットは、同一列に設けられた複数の異なる色のサブ画素をそれぞれ含む。ラスタは、行方向と列方向でそれぞれ交互に配置された複数の遮光エリアと複数の透光エリアとを含み、遮光エリア毎に、行方向に隣接する第一画素ユニットの第一側と第一画素ユニットの第一側に対向する第二画素ユニットの第二側とを遮断するために用いられる。前記表示駆動装置は、前記複数の第一画素ユニットにおける各サブ画素の色成分と前記複数の第二画素ユニットにおける各サブ画素の色成分とをそれぞれ算出する画素分割ユニットと、サブ画素毎にサンプルエリアを確定して、該サブ画素に対応するサンプルエリアが覆う各画素ユニットにおける、該サブ画素の色と同一の色成分に応じて該サブ画素の発光輝度を確定する輝度確定ユニットと、を含む。サンプルエリアは菱形サンプルエリアであって、菱形サンプルエリアの4つの頂点は該サブ画素に隣接する列における、該サブ画素に隣接する4つの同種類のサブ画素の中心接続線の中央点にそれぞれ位置する。
【００１３】
本発明の実施例によれば、前記表示駆動装置は、各サブ画素が確定された発光輝度に達するよう、第一画素ユニットの各サブ画素に信号を入力し、且つ、各サブ画素が確定された発光輝度に達するよう、第二画素ユニットの各サブ画素に信号を入力する画像生成ユニットをさらに含むことができる。
【００１４】
本発明の実施例によれば、ラスタは、BMラスタ、液晶ラスタ、エレクトロウェッティングラスタのいずれか一つとすることができる。
【００１５】
本発明の実施例によれば、各画素ユニットは、赤色サブ画素、青色サブ画素、緑色サブ画素の3つの異なる色のサブ画素を含むことができる。
【００１６】
本発明の実施例によれば、前記輝度確定ユニットは、サンプルエリアと前記複数の第一画素ユニットおよび複数の第二画素ユニットにおける各画素ユニットとの重複面積、および重複する画素ユニットにおける該サブ画素の色と同一の色成分をサブ画素毎に確定し、重複面積とそれに対応する色成分との乗積を、重複する画素ユニット毎に算出し、各乗積の和およびサンプルエリアの面積に基づき該サブ画素の発光輝度を確定することに用いることができる。
【発明の効果】
【００１７】
本発明の表示駆動方法と表示駆動装置を用いて画素アレイを駆動する際、画素アレイが1つの画像（例えば、左眼画像又は右眼画像）を表示する際の輝度出力面積がより大きくなるようにすることができ、これにより、該画素アレイを含む表示パネルはより高い解像度を有する表示パネルの表示効果に達する。よって、立体表示を行う際、ラスタの遮断により表示装置の解像度が損失するという不備を避けることができる。
【図面の簡単な説明】
【００１８】
図面は本発明をさらに理解するために提供され、明細書の一部を構成し、以下に述べる具体的な実施の形態と共に本発明の解釈に用いられるが、本発明を限定するものではない。
【００１９】
【図１】図1は、従来技術における裸眼立体表示装置の概念図である。
【図２】図2は、本発明実施例の画素アレイの排列概念図である。
【図３】図3は、図2の画素アレイとラスタの組み合わせの概念図である。
【図４】図4と図5は、それぞれ図3に示すラスタにより、図2に示す画素アレイを分割した第一ビューと第二ビューである。
【図５】図4と図5は、それぞれ図3に示すラスタにより、図2に示す画素アレイを分割した第一ビューと第二ビューである。
【図６】図6〜図8は、それぞれ図4に示す第一ビューにおける赤色サブ画素、青色サブ画素、緑色サブ画素の分布概念図である。
【図７】図6〜図8は、それぞれ図4に示す第一ビューにおける赤色サブ画素、青色サブ画素、緑色サブ画素の分布概念図である。
【図８】図6〜図8は、それぞれ図4に示す第一ビューにおける赤色サブ画素、青色サブ画素、緑色サブ画素の分布概念図である。
【図９】図9は、図6に示す第一ビューにおける赤色サブ画素のサンプルエリアの概念図である。
【図１０】図10は、図9に示す赤色サブ画素の発光輝度を算出する概念図である。
【図１１】図11と図12は、第一ビューにおける異なる色のサブ画素のサンプルエリアの概念図である。
【図１２】図11と図12は、第一ビューにおける異なる色のサブ画素のサンプルエリアの概念図である。
【発明を実施するための形態】
【００２０】
当業者が本発明の技術案をよりよく理解できるよう、以下では図面と具体的な実施の形態を組み合わせて本発明をより詳細に説明する。
【００２１】
本発明の実施例では、立体表示装置を駆動するための表示駆動方法を提供する。該立体表示装置には、画素アレイと画素アレイの光射出面に設けられたラスタとが含まれる。
【００２２】
図2は本発明の実施例における画素アレイの排列概念図であり、図3は図2の画素アレイとラスタの組み合わせの概念図である。
【００２３】
図2に示すように、画素アレイは、第一ビューを表示するための複数の第一画素ユニットと、第二ビューを表示するための複数の第二画素ユニットとを含み、前記複数の第一画素ユニットと複数の第二画素ユニットはマトリクス状に排列され、第一画素ユニットと第二画素ユニットは行方向と列方向でそれぞれ交互に配置される。第一画素ユニットと第二画素ユニットは同一列に設けられた複数の異なる色のサブ画素をそれぞれ含む。
【００２４】
図3に示すように、ラスタは、行方向と列方向でそれぞれ交互に配置された複数の遮光エリアと複数の透光エリアとを含み、遮光エリア毎に、行方向に隣接する第一画素ユニットの第一側と第一画素ユニットの第一側に対向する第二画素ユニットの第二側とを遮断するために用いられる。該ラスタの構造は画素ユニットに対応し、その遮光エリアと透光エリアが行方向と列方向で交互に設けられているため、その形状は碁盤に類似しており、該ラスタは碁盤状ラスタと称することができる。
【００２５】
本実施例の表示駆動方法には、以下のようなステップが含まれる。
【００２６】
即ち、前記複数の第一画素ユニットにおける各サブ画素の色成分と前記複数の第二画素ユニットにおける各サブ画素の色成分とをそれぞれ算出するステップと、
サブ画素毎にサンプルエリアを確定して、該サブ画素に対応するサンプルエリアが覆う各画素ユニットにおける、該各サブ画素の色と同一の色成分に応じて該サブ画素の発光輝度を確定するステップである。
【００２７】
サンプルエリアは菱形サンプルエリアであってもよく、菱形サンプルエリアの4つの頂点は発光輝度が確定されるべきサブ画素に隣接する列における、該サブ画素に隣接する4つの同種類のサブ画素の中心接続線の中央点にそれぞれ位置する。
【００２８】
具体的に、立体表示装置では、ラスタは表示されるべき画像を、左眼に対応する第一ビューと右眼に対応する第二ビューに分ける（図4と図5を参照）。まず、第一ビューを表示するための複数の第一画素ユニットにおける第一画素ユニット毎の各サブ画素の色成分を確定する。第一画素ユニットは、赤色サブ画素、緑色サブ画素、青色サブ画素を含むことができるため、第一画素ユニット毎の赤色サブ画素、緑色サブ画素、青色サブ画素の色成分を確定する必要がある。また、同一の方法で、第二ビューを表示するための複数の第二画素ユニットにおける第二画素ユニット毎の各サブ画素の色成分を確定する。
【００２９】
サブ画素毎にサンプルエリアを分けることにより、各サブ画素の発光輝度を確定する。そのうち、サブ画素毎の実際の発光輝度には、それ自体に対応する表示されるべき画像の輝度の一部およびそれと隣接する同種類のサブ画素の輝度の一部を含むことができる。よって、1つのサブ画素が輝度を出力する際、該サブ画素周囲の同種類のサブ画素の輝度を共有することになり、これにより、該画素アレイを含む表示装置はより高い解像度を有する表示装置の表示効果に達し、且つ、サブ画素間で共有することでより多くの情報を出力できるようになる。
【００３０】
具体的に、各サブ画素のサンプルエリアを確定して、サブ画素の発光輝度を確定するステップでは、サンプルエリアと前記複数の第一画素ユニットおよび複数の第二画素ユニットにおける各画素ユニットとの重複面積、および重複する画素ユニットにおける該サブ画素の色と同一の色成分をサブ画素毎に確定し、重複面積とそれに対応する色成分との乗積を、重複する画素ユニット毎に算出し、各乗積の和およびサンプルエリアの面積に基づき該サブ画素の発光輝度を確定する。
【００３１】
本実施例の表示駆動方法にはさらに以下のようなステップを含んでもよい。
【００３２】
即ち、各サブ画素が確定された発光輝度に達するよう、第一画素ユニットの各サブ画素に信号を入力することで、第一ビューを形成するステップと、
各サブ画素が確定された発光輝度に達するよう、第二画素ユニットの各サブ画素に信号を入力することで、第二ビューを形成するステップである。
【００３３】
図2で示すように、図示された画素アレイには8列（S1~S8）24行（R1~R24）のサブ画素が含まれ、そのうち、サブ画素B1、G1、R1が第一画素ユニットを構成し、サブ画素B2、G2、R2が第二画素ユニットを構成し（図2において点線枠で示す）、且つ、各第一画素ユニットと第二画素ユニットは行方向と列方向において交互に設けられている。第一画素ユニットは第一ビュー（つまり、左眼画像）に対応し、第二画素ユニットは第二ビュー（つまり、右眼画像）に対応する。第一画素ユニットと第二画素ユニットにはそれぞれ3つの、一列に排列された矩形サブ画素、即ち、青色サブ画素B1とB2、緑色サブ画素G1とG2および赤色サブ画素R1とR2を含むことができる。なお、より明確に説明するために、画素アレイの各画素ユニットを第一画素ユニットと第二画素ユニットに分割したが、第一画素ユニットと第二画素ユニットは実質上同一の画素ユニットであり、名称が異なるだけである。
【００３４】
図3で示すように、図示されたラスタには遮光エリアと透光エリアが含まれている。各遮光エリア（図3に示す影の位置）は行方向に隣接する第一画素ユニットの第一側と、第一画素ユニットの第一側に対向する第二画素ユニットの第二側を遮断する。そして、裸眼立体の表示効果をより良く実現するために、各遮光エリアは行方向に隣接する第一画素ユニットの半分の領域と第一画素ユニットの遮断された半分の領域に対向する第二画素ユニットの半分領域を遮断することができる。図3で示すように、各遮光エリアは、行方向に隣接する第一画素ユニットの右半分の領域と第二画素ユニットの左半分の領域を遮断する。この時、バックライトからの光がラスタを透過した後、左眼が見られるのは、第一画素ユニットが示す第一ビューのみであり（図4で示すとおり）、右眼が見られるのは、第二画素ユニットが示す第二ビューのみであり（図5で示すとおり）、これにより立体表示することができる。
【００３５】
図4で示すように、各第一画素ユニットは、列方向に順次排列された青色サブ画素B1、緑色サブ画素G1、赤色サブ画素R1を含む。図6〜図8はそれぞれ図4で示す第一ビューにおける赤色サブ画素R1、青色サブ画素B1、緑色サブ画素G1の分布概念図である。説明の便宜上、以下の内容では、赤色サブ画素R1のサンプルエリアを例として説明する。
【００３６】
図9は図6に示す第一ビューにおける赤色サブ画素R1のサンプルエリアの概念図である。
【００３７】
図9で示すように、第5列第9行（S5R9）の赤色サブ画素R1に隣接する列（即ち、第4列（S4）と第6列（S6））において、該赤色サブ画素R1と隣接する4つの同種類のサブ画素はS4R6、S6R6、S4R12、S6R12にそれぞれ位置する各赤色サブ画素R1である。この4つの赤色サブ画素R1の中央を接続し（図9における矩形の実線枠で示す）、各接続線の中央をS5R9に位置する赤色サブ画素R1のサンプルエリアの4つの頂点とすることで、該赤色サブ画素R1のサンプルエリアを構成する（図9における点線枠で示す）。該サンプルエリアは菱形サンプルエリアであっても良い。
【００３８】
上記の方法により、第一ビューにおける各赤色サブ画素R1のサンプルエリアを確定することができる。また、各青色サブ画素B1と各緑色サブ画素G1のサンプルエリアも確定することができる。
【００３９】
図10は図9に示す赤色サブ画素の発光輝度を算出する概念図である。
【００４０】
図10に示すように、S5R9に位置する赤色サブ画素R1のサンプルエリアは行方向と列方向において3×3の合計9つの画素ユニットに跨っており、そこには5つの第一画素ユニットと4つの第二画素ユニットが含まれている。5つの第一画素ユニットはそれぞれS4R4/S4R5/S4R6、S4R10/S4R11/S4R12、S6R4/S6R5/S6R6、S6R10/S6R11/S6R12、S5R7/S5R8/S5R9であり、4つの第二画素ユニットはそれぞれS4R7/S4R8/S4R9、S6R7/S6R8/S6R9、S5R4/S5R5/S5R6、S5R10/S5R11/S5R12である。S5R9に位置する赤色サブ画素R1のサンプルエリアは、そのうちの3つの第一画素ユニットS4R10/S4R11/S4R12、S5R7/S5R8/S5R9、S6R10/S6R11/S6R12、および4つの第二画素ユニットS4R7/S4R8/S4R9、S6R7/S6R8/S6R9、S5R4/S5R5/S5R6、S5R10/S5R11/S5R12の一部と重なる。S5R9に位置する赤色サブ画素R1に関して、そのサンプルエリアと重複する各画素ユニットとの重複面積および該重複する画素ユニットにおける赤色サブ画素R1の色成分（即ち、上記各第一画素ユニットにおけるS4R12、S5R9、S6R12の赤色サブ画素R1の色成分および上記各第二画素ユニットにおけるS4R9、S6R9、S5R6、S5R12の赤色サブ画素R1の色成分）が確定できる。続いて、重複する画素ユニット毎に、重複面積とそれに対応する赤色サブ画素R1の色成分との乗積を算出し、各乗積の和およびサンプルエリアの面積に基づいて、S5R9に位置する赤色サブ画素R1の発光輝度を確定する。
【００４１】
図11と図12は第一ビューにおける異なる色のサブ画素のサンプルエリアの概念図である。
【００４２】
図11で示すように、同じビューにおける異なる色のサンプルエリアを柔軟に制御することができる。図11に示す3つのサンプルエリアはそれぞれ、第一ビューにおいてS4R5に位置する緑色サブ画素G1のサンプルエリアと、S6R4に位置する青色サブ画素B1のサンプルエリアおよびS5R9に位置する赤色サブ画素R1のサンプルエリアである。また、図12で示すように、第一ビューにおける同じ第一画素ユニットの赤色サブ画素R1、緑色サブ画素G1、青色サブ画素B1の3つのサンプルエリアは互いに一部重なっている。同じ理由で、第二ビューにおいても同様であり、ここでは詳細に説明しない。
【００４３】
なお、本実施例では、第一画素ユニットと第二画素ユニットが、赤色サブ画素、青色サブ画素、緑色サブ画素の3つの異なる色のサブ画素をそれぞれ含むことを例として説明したが、本発明はこれに限らない。第一画素ユニットと第二画素ユニットにも4種類又はより多くの種類の異なる色のサブ画素を含むことが可能で、また、サブ画素の色は必ずしも赤色、青色、緑色とは限らない。
【００４４】
本発明の実施例によれば、ラスタはBMラスタ、液晶ラスタ、エレクトロウェッティングラスタにおけるいずれか1つであってよい（しかし、限定はされない）。
【００４５】
本発明の他の実施例では、本発明の表示駆動方法を実行する、立体表示装置を駆動するための表示駆動装置を提供する。該表示駆動装置は、第一ビューを表示するための複数の第一画素ユニットにおける各サブ画素の色成分と第二ビューを表示するための複数の第二画素ユニットにおける各サブ画素の色成分とをそれぞれ算出する画素分割ユニットと、サブ画素毎にサンプルエリアを確定して、該サブ画素に対応するサンプルエリアが覆う各画素ユニットにおける、該サブ画素の色と同一の色成分に応じて該サブ画素の発光輝度を確定する輝度確定ユニットと、を含む。
【００４６】
本発明の実施例によれば、前記輝度確定ユニットは、サンプルエリアと前記複数の第一画素ユニットおよび複数の第二画素ユニットにおける各画素ユニットとの重複面積、および重複する画素ユニットにおける該サブ画素の色と同一の色成分をサブ画素毎に確定し、重複面積とそれに対応する色成分との乗積を、重複する画素ユニット毎に算出し、各乗積の和およびサンプルエリアの面積に基づき該サブ画素の発光輝度を確定することに用いられる。
【００４７】
本発明の実施例によれば、該立体表示装置は、各サブ画素が確定された発光輝度に達するよう、第一画素ユニットの各サブ画素に信号を入力することで、第一ビューを形成し、且つ、各サブ画素が確定された発光輝度に達するよう、第二画素ユニットの各サブ画素に信号を入力することで、第二ビューを形成する画像生成ユニットをさらに含むことができる。
【００４８】
上記実施の形態は、単に本発明の原理を説明するための例示的な実施の形態であると理解され、本発明はこれに限定されるものではない。本分野の一般的な技術者は、本発明の精神と本質から逸脱しない状況において、様々な変形と改善を行うことができ、これらの変形と改善も本発明の請求範囲と見なされる。
【符号の説明】
【００４９】
１００  表示パネル
２００  ラスタ
【図１】
0006679502.tif 000002
【図２】
0006679502.tif 000003
【図３】
0006679502.tif 000004
【図４】
0006679502.tif 000005
【図５】
0006679502.tif 000006
【図６】
0006679502.tif 000007
【図７】
0006679502.tif 000008
【図８】
0006679502.tif 000009
【図９】
0006679502.tif 000010
【図１０】
0006679502.tif 000011
【図１１】
0006679502.tif 000012
【図１２】
0006679502.tif 000013